(57)【要約】【課題】従来ののれんは斜めや側面からは見えにくいが、正面はとより側面、斜め方向いずれの角度からでも見やすい効果的な立体表示のれんを提供する。【解決手段】のれん５を取り付ける吊り下げ棒２の任意箇所に、水平にして一方向に曲げ形成して成る突出部３を設けた一端部に係止棒４を取り付けた吊り下げ棒２を形成し、該吊り下げ棒２に、文字表示８を施した複数枚の垂れ布６で形成されるのれん５を取り付けて成る立体表示のれん１を構成する。【選択図】  図２
2004233946.tif 000002
【特許請求の範囲】
【請求項１】
のれんを取り付ける吊り下げ棒の任意箇所に、水平にして一方向に曲げ形成して成る突出部を設けた一端部に係止棒を取り付けた吊り下げ棒を形成し、該吊り下げ棒に、文字表示を施した複数枚の垂れ布で形成されるのれんを取り付けて成る立体表示のれんに、別体形成される二つで一組とするのれん保持具として、一方は前記吊り下げ棒の係止棒に係合する係止保持穴を設け、他方は保持穴を設けたのれん保持具を組み合わせて成る構成を特徴とする立体表示のれん。
【請求項２】
吊り下げ棒に設ける突出部が、一本の棒体を曲げ形成して成る請求項１に記載する立体表示のれん。
【請求項３】
吊り下げ棒に設ける突出部が、直状の吊り下げ棒の任意部に複数個の固定穴を設け、その固定穴に、別体形成する棒の曲げ角度が９０度以内に可変できる突出保持棒を、前記した吊り下げ棒の固定穴に水平に取り付けて成る請求項１に記載する立体表示のれん。
【請求項４】
のれんを形成する複数枚の垂れ布の側部が、吊り下げ棒に設ける突出部の角部に位置するように取り付けた構成である請求項１〜請求項３のいずれかに記載する立体表示のれん。
【請求項５】
のれんを形成する両サイドの垂れ布が、中ほどの垂れ布より長尺である請求項１〜請求項４のいずれかに記載する立体表示のれん。
【発明の詳細な説明】
【０００１】
【発明の属する技術分野】
本発明は、正面はもとより側面、斜め方向いずれの角度からでも見やすい効果的な立体表示のれんに関する。
【０００２】
【従来の技術】
従来より、固定店舗や移動販売店の入口や店先には、販売促進や宣伝目的のために、店の名称や営業種名などを周囲に知らしめるためののれんを掲げるのが一般的である。そののれんの形態としては、古くから用いられているものとして、一定の幅と長さの布地に複数の切れ目を付けたり分割した布地に店名や営業種名、販売品名を表示した布地の上部に棒を取り付けたのれんを店舗の入口や前に掲げるタイプが今でも広く用いられている。
【０００３】
さらに公知公開されるのれんの技術としては、実公平７−４３７４２号に示される営業用表示装置が開示されている。この技術は一定の長さの角パイプの両端に、合成樹脂等による弾性帯体を円弧状に取り付け、その弾性帯体にのれん体を両面接着テープ等で取り付けた営業用表示装置である。さらに実登第２５４７４５１号に示す技術として販売促進用のれん装置なる技術も開示されている。この技術も前記した技術と同様に、円弧状に曲げ形成した弾性帯体の下部に、横長状ののれん体を吊り下げ、さらに、そののれん体の下部に陳列台を組み合わせて成るのれん装置の技術である。
【０００４】
【発明が解決しようとする課題】
以上のような様々なのれんやのれん装置の技術が提供されており、それぞれ目的とする一定の販売促進効果を得ている。しかし実際面おいては次に示すような不便や欠点などがある。まず古くから提供されている布地に店名や営業種名を表示したのれんに吊り下げ棒を取り付けたタイプはシンプルであるが、こののれんは平面的な表示であるため斜め方向や側面からは見えにくい欠点がある。
【０００５】
さらに実公平７−４３７４２号や実登第２５４７４５１号に示す技術は、いずれも一定の長さの棒に弾性帯体を円弧状に曲げて取り付け、その弾性帯体にのれんを取り付けた特徴のない表示方法であり、しかものれんは横長であるため縦に文字など記すと小さく限定され、横並びに表示すると大きな文字を表示できるが表示面は円弧状であるため、一方向からでは一部しか見えないなどの不便や欠点があるのれんの技術であった。
【０００６】
【課題を解決するための手段】
本発明は前記する以上のようなのれんの課題を解決するために成されるものであり、その解決手段として以下のような立体表示のれんを構成する。
【０００７】
請求項１においては、のれんを取り付ける吊り下げ棒の任意箇所に、水平にして一方向に曲げ形成して成る突出部を設けた一端部に係止棒を取り付けた吊り下げ棒を形成し、該吊り下げ棒に、文字や図形を表示した複数枚の垂れ布で形成されるのれんを取り付けて成る立体表示のれんに、別体形成される二つで一組とするのれん保持具として、一方は前記吊り下げ棒の係止棒に係合する係止保持穴を設け、他方は保持穴を設けて成るのれん保持具を組み合わせた立体表示のれんを構成する。
【０００８】
請求項２においては、前記する請求項１に記載の吊り下げ棒に設ける突出部が、一本の棒体を曲げ形成して成る立体表示のれんとする。
【０００９】
請求項３にいては、前記する請求項１に記載の吊り下げ棒に設ける突出部が、直状の吊り下げ棒の任意部に複数個の固定穴を設け、その固定穴に、別体の棒の角度が９０度以内に曲げ形成した突出保持棒を、前記した吊り下げ棒の固定穴に水平に取り付けて成る構成とする。
【００１０】
請求項４においては、前記する請求項１に記載ののれんを形成する複数枚の垂れ布の側部が、吊り下げ棒の突出部の角部に位置するように取り付けた立体表示のれんとする。
【００１１】
請求項５においては、前記する請求項１のれんを形成する両サイドの垂れ布が、中ほどの垂れ布より長尺である立体表示のれんを構成するが、以下、各実施の形態をさらに具体的に示す。
【００１２】
【発明の実施の形態】
本発明における立体表示のれんの第１の実施の形態を図１に示す分解斜視図と図２に示す立体表示のれんの斜視図、図３に示す一組ののれん保持具の斜視図を参照して説明する。
【００１３】
まず、立体表示のれん１を形成する吊り下げ棒２は、直状を成す一本の棒の両サイドから一定の長さの部位の２箇所を、水平に一定の長さくの字状に曲げ形成して成る突出部３，３を形成した吊り下げ棒２の一方端部に、Ｕ字状の係止棒４を取り付けた吊り下げ棒２を形成する。
【００１４】
次に、その吊り下げ棒２に取り付けるのれん５は、前記した突出部３，３付き吊り下げ棒２の一端から各角部を経て他端まで至る各直線部の長さに合う、長短の幅を有する複数枚の垂れ布６，６の上部を折り返して通し穴７，７を設け、その通し穴７付き垂れ布６，６を、前記吊り下げ棒２の各部の直線部の長さに合う幅の垂れ布６，６を交互に位置した上部を連結して成るのれん５を形成する。
【００１５】
以上のように形成されるのれん５の垂れ布６面には、店名や業種名、図柄などの文字表示８をして成るものとし、そののれん５の通し穴７に、前記した突出部３を有する吊り下げ棒２を通して立体表示のれん１本体を構成する。
【００１６】
以上のような立体表示のれん１を構成するが、さらにその立体表示のれん１を保持するのれん保持具９を図３に示す。前記した立体表示のれん１を形成する吊り下げ棒２は、一方に突出部３を形成しているため突出側が重くなるので傾く。その傾きを防ぐ専用ののれん保持具９として、二つで一組とする一方は、取り付け用のネジ穴１０付きのれん保持具９の下部に、前記吊り下げ棒２が収まる保持穴１１を設け、他方のネジ穴１０付きのれん支持具９は、前記吊り下げ棒２の端部に取り付けた二本の係止棒４が嵌る係止保持穴１２を設けた二つで一組とするのれん保持具９，９を、前記した立体表示のれん１に組み合わせる。
【００１７】
第１の実施の形態における立体表示のれん１は、一本の吊り下げ棒２の中ほど２箇所を曲げ形成した突出部３を設けたものにのれん５を取り付けているので、前記した突出部３以外の垂れ布６は正面向きであるが、突出部３に位置する狭い垂れ布６は斜め方向もしくは側面向きに吊り下げられるため、一つののれん５で正面はもとより斜め及び側面方向からでも見やすい構成である。さらにのれん５を保持する吊り下げ棒２は前部側に突出部３を形成しているため、従来のような単なる穴やＵ字状保持具では前部側に傾いて回転するが、本実施の形態における二つで一組とするのれん保持具９は、図３に示すように一方が吊り下げ棒２の係止棒４が係合する係止保持穴１２を設けているので、のれん保持具９にセットした際に吊り下げ棒２が突出部３側に傾くことなく水平に保持できる。
【００１８】
第２の実施の形態を図４に示す斜視図を参照して説明する。本形態においては、前記した第１形態と基本構成は同じとし、以下、のれん保持具９は省略する。本実施の形態における吊り下げ棒２に設ける突出部３，３は、前記タイプと位置を変えて吊り下げ棒２の両側寄りを曲げ形成して設け、さらに複数枚の垂れ布６，６で形成されるのれん５は、両サイドに位置するものを、中ほどに位置する垂れ布６より３〜５割ていど長尺の垂れ布６ａ，６ａを組み合わせたのれん５を形成し、そののれん５の通し穴７に前記した突出部３及び係止棒４付き吊り下げ棒２を差し入れて成る構成とする。
【００１９】
第２の実施の形態は、基本構成は前記した第１のタイプと同じであるが、吊り下げ棒２に設ける突出部３は両サイドに位置し、かつその吊り下げ棒２に取り付けたのれん５の中ほどは店の出入口に当たるので短い垂れ布６とするが、突出部３の垂れ布６ａは出入り口の両側に位置するので、長尺の垂れ布６ａを吊り下げても邪魔にならない。加えて長い垂れ布６ａを採用できるため宣伝の文字表示８も縦に大きく表示することが可能となる。
【００２０】
さらに第３の実施の形態を図５に示す立体表示のれんの一部分解斜視図と図６に示す突出保持部の拡大斜視図を示して説明する。立体表示のれん１を形成する吊り下げ棒２に設ける突出部３は、前記した各実施の形態と異なるものであり、直状の吊り下げ棒２に別体の突出保持棒１３を組み合わせるタイプである。
【００２１】
まず本実施の形態における吊り下げ棒２は、一本の棒の両サイドの端部寄りにそれぞれ２〜４個の固定穴１４，１４を複数個設けた吊り下げ棒２を形成し、その吊り下げ棒２の固定穴１４には、図６に示すように丈夫で適度に曲げられる棒体の両端部にネジ部１５と突部１６設けた棒体を、角度を約３０度ていどにくの字状に曲げ形成した突出保持棒１３の両端部を、前記した固定穴１４，１４に差し込んで蝶ネジ様のつまみ付きナット１７で締め付けることで、前記した第１及び第２実施の形態と同様の突出部３付き吊り下げ棒２を形成する。
【００２２】
以上のような吊り下げ棒２に取り付けるのれん５は、中ほどに幅が広く丈の短い垂れ布６を位置し、その両サイドには幅が狭くかつ丈の長い垂れ布６ａ，６ａを連結して成る通し穴７付きのれん５を形成し、そののれん５を取り付ける際は、まず吊り下げ棒２は突出保持棒１３を取り付けない直状の棒体にのれん５の中ほどに位置する丈の短い垂れ布６に通したうえで、両サイドに位置する長尺の垂れ布６ａには、前記した曲げ形成したネジ部１５付き突出保持棒１３を垂れ布６ａの通し穴７に通したネジ部１５を、前記した吊り下げ棒２の固定穴１４に差し込みナット１７で締め付け固定した立体表示のれん１を構成する。
【００２３】
第３の実施の形態による立体表示のれん１は、直状の吊り下げ棒２にも関わらず別体の突出保持棒１３を組み合わせることで、前記した第１及び第２と同様の作用を成す突出部３を形成し、かつその突出部３には複数個の固定穴１４を設けているので、取り付けたのれん５の突出部３における垂れ布６ａの角度を変えたい時は、前記した突出保持棒１３を取り外してから曲げ角度を変えたうえで、必要な固定穴１４に取り付けることにより、文字表示８した垂れ布６ａの角度を任意の向きに変えることも可能である。
【００２４】
本発明における立体表示のれん１は以上のような構成であるが、吊り下げ棒２に形成した突出部３の曲げ角度はくの字状としているが、０〜９０度範囲以内であれば任意の曲げ角度で差し支えない。さらに第３の実施の形態における突出保持棒１３は別体の棒を曲げ形成したものを示しているが、これ以外に、二本の棒を可動連結してくの字状に曲げ形成されるタイプであって構わないものであり、いずれも特に限定するものではない。
【００２５】
【発明の効果】
この発明における立体表示のれんは、のれんを取り付ける吊り下げ棒の中ほどもしくは両側部位に、一定の長さ前方に突き出した突出部を形成しているので、取り付けられたのれんは正面側に向いて表示されるとともに、前記した突出部に位置する垂れ布は、斜め方向もしくは側面向きに吊り下げることが可能であるため、一つののれんにも関わらず１８０度の方向からはっきり見えるように掲げられるユニークな立体表示のれんである。
【００２６】
さらに両側に突出部を形成した吊り下げ棒は、入口部位に当たるのれんの中ほどは短い垂れ布とするが、両サイドに位置する突出部には長尺の垂れ布を取り付けても出入りに邪魔にならず、しかも長いので遠くからでも一目で分かるほど大きな文字表示ができる。加えて、第３の実施の形態における突出部は曲げ角度を任意に調節できるので好みの向きに表示できるなど、シンプルな構成にして効果的に宣伝表示が可能な立体表示のれんを形成するため、店舗の入口や前のみならず、デパートやスーパーなどの店内における通路上にも効果的に対応できる機能的な立体表示のれんを提供する。
【図面の簡単な説明】
【図１】第１の立体表示のれんの実施形態を示す分解斜視図である。
【図２】第１の立体表示のれんの実施形態を示す斜視図である。
【図３】立体表示のれんに組み合わせるのれん保持具を示す斜視図である。
【図４】第２の立体表示のれんの実施形態を示す斜視図である。
【図５】第３の立体表示のれんの実施形態を示す一部分解斜視図である。
【図６】第３の立体表示のれんの実施形態における突出保持棒を示す拡大斜視図である。
【符号の説明】
１・立体表示のれん
２・吊り下げ棒
３・突出部
４・係止棒
５・のれん
６・垂れ布
６ａ・垂れ布
７・通し穴
８・文字表示
９・のれん保持具
１０・ネジ穴
１１・保持穴
１２・係止保持穴
１３・突出保持棒
１４・固定穴
１５・ネジ部
１６・突部
１７・ナット
【図１】
2004233946.tif 000003
【図２】
2004233946.tif 000004
【図３】
2004233946.tif 000005
【図４】
2004233946.tif 000006
【図５】
2004233946.tif 000007
【図６】
2004233946.tif 000008